(57)【要約】【課題】圧電素子によって制御される作動片の重量を極力掛けないようにして変位可能な圧電素子への負荷を減らすこと。【解決手段】箱体内に、プランジャと、このプランジャの先端部が箱体の開口から突出するように該プランジャを常時付勢するバネ部材と、電圧信号を機械的な変位に変換する圧電素子と、この圧電素子に接続され、かつ該圧電素子の制御によって前記プランジャに係脱する作動片をそれぞれ組み込んだ圧電アクチュエーターであって、作動片は、前記箱体の底壁の内面を水平方向にスライドして前記プランジャに係脱し、また、圧電素子は、第１圧電素子と該第１圧電素子の一端部にその一端部が結合すると共に、自由端部側から外拡変位可能な第２圧電素子を有し、第１圧電素子の基端部は箱体側に支持され、一方、第２圧電素子片の自由端部に前記作動片が係合していることを特徴とする圧電アクチュエーター。【選択図】図１
2009296862.tif 000002
【特許請求の範囲】
【請求項１】
箱体内に、プランジャと、このプランジャの先端部が箱体の開口から突出するように該プランジャを常時付勢するバネ部材と、電圧信号を機械的な変位に変換する圧電素子と、この圧電素子に接続され、かつ該圧電素子の制御によって前記プランジャに係脱する作動片をそれぞれ組み込んだ圧電アクチュエーターであって、前記作動片は、前記箱体の底壁の内面を水平方向にスライドして前記プランジャに係脱し、また、前記圧電素子は、第１圧電素子と該第１圧電素子の一端部にその一端部が結合すると共に、自由端部側から外拡変位可能な第２圧電素子を有し、前記第１圧電素子の基端部は箱体側に支持され、一方、前記第２圧電素子片の自由端部に前記作動片が係合していることを特徴とする圧電アクチュエーター。
【請求項２】
請求項１に於いて、箱体内に昇圧回路を有する基板が設けられていることを特徴とする圧電アクチュエーター。
【請求項３】
請求項１に於いて、通電時、作動片はプランジャの下方に入り込み、該プランジャの後退を阻止することを特徴とする圧電アクチュエーター。
【請求項４】
請求項１に於いて、通電時、作動片はプランジャのラッチ被係合部に係合して、該プランジャの後退を阻止することを特徴とする圧電アクチュエーター。
【請求項５】
箱体内に、プランジャと、このプランジャの先端部が箱体の開口から突出するように該プランジャを常時付勢するバネ部材と、電圧信号を機械的な変位に変換する圧電素子と、この圧電素子に接続され、かつ該圧電素子の制御によって前記プランジャに係脱する作動片とをそれぞれ組み込んだ圧電アクチュエーターであって、前記作動片は前記圧電素子の自由端部に係合し、通電時、前記箱体の底壁の内面を水平方向にスライドして前記プランジャを係止することを特徴とする圧電アクチュエーター。
【発明の詳細な説明】
【技術分野】
【０００１】
本発明は、圧電アクチュエーターに関し、特に、機械駆動機構における電気的制御可能なクラッチ装置用の圧電アクチュエーターに関する。
【背景技術】
【０００２】
特許文献１は、技術分野を問わず、電気制御式のラッチ機構について独占権を要求するものであり、そのラッチ機構は、「箱体に往復動可能に設けられた中空プランジャ（中空作動杆）の内部に長尺状の圧電素子を中空作動杆の長手方向に配設し、前記長尺状圧電素子の基端部をニ分割の中空作動杆片でもって挟持し、基端部から水平状態に延びる圧電素子の自由端部を、箱体に軸支された係合片（ツメと称する係合片）の中空作動杆片の内部に延在する受け脚部に臨ませ、圧電素子にリード線を介して電圧信号を印加すると、圧電素子の自由端部が変位して前記係合片の受け脚部を押圧し、これにより、係合片は一端部の支軸を支点にして、その係合先端部が中空作動杆片の外面に形成された傾斜状切欠溝から離れること」、を特徴とする。
【０００３】
特許文献１について付言すれば、特許文献１は、（ア）長尺状の圧電素子を中空作動杆内に一端部を固定した状態で内装した点、（イ）図示しない、リード線が中空作動杆の水平移動量に対応して可動する点、（ウ）横Ｔ字形状の係合片を、その受け脚部が圧電素子の自由端部に対向するように中空作動杆の内部に延在し、かつ受け脚部と交差する係合先端部が中空作動杆片の外面傾斜状切欠溝と係脱する点に特徴がある、と認定することができる。
【０００４】
しかしながら、特許文献１に記載の電気制御式のラッチ機構は、圧電素子を中空作動杆片に挟持状態に内蔵させ、ツメと称する係合片の脚部を圧電素子の自由端部付近へと延在させるために、中空作動杆片を複雑に構成しなければ成らないという問題点があった。
【０００５】
また、部品点数が多すぎるという欠点もあった。
【０００６】
なお、ここで、電圧を印加するとか、電気的信号を与えるとか、駆動信号を与える等の用語は、発明の本質的観点から法解釈学的に認定判断されるものである。
【０００７】
電圧印加、電気信号を印加する、駆動信号を与える等の用語は、同じ意味合いである。
【特許文献１】特表２００６−５１９４６５号公報
【発明の開示】
【発明が解決しようとする課題】
【０００８】
本発明の所期の目的は、圧電素子と共働する作動片（プランジャ用ロック片）の重量を圧電素子に直接掛けないことである。付言すると、圧電素子によって制御される作動片の重量を極力掛けないようにして変位可能な圧電素子への負荷を減らすことである。第２の目的は、箱体の内部空間を有効的に活用することである。第３の目的は、箱体の内部空間に長尺状圧電素子、ロック機能を有する作動片、プランジャ及びバネ部材を容易に組み付けることができることである。第４の目的は、変位量の大きい長尺状圧電素子（アクチュエータ）も実装することができることである。第５の目的は、変位量の大きい長尺状圧電素子と共働する作動片をプランジャに確実に係脱させることができることである。
【課題を解決するための手段】
【０００９】
本発明の圧電アクチュエーターは、箱体内に、プランジャと、このプランジャの先端部が箱体の開口から突出するように該プランジャを常時付勢するバネ部材と、電圧信号を機械的な変位に変換する圧電素子と、この圧電素子に接続され、かつ該圧電素子の制御によって前記プランジャに係脱する作動片をそれぞれ組み込んだ圧電アクチュエーターであって、前記作動片は、前記箱体の底壁の内面を水平方向にスライドして前記プランジャに係脱し、また、前記圧電素子は、第１圧電素子と該第１圧電素子の一端部にその一端部が結合すると共に、自由端部側から外拡変位可能な第２圧電素子を有し、前記第１圧電素子の基端部は箱体側に支持され、一方、前記第２圧電素子片の自由端部に前記作動片が係合していることを特徴とすることを特徴とする。
【００１０】
また、本発明の圧電アクチュエーターは、箱体内に、プランジャと、このプランジャの先端部が箱体の開口から突出するように該プランジャを常時付勢するバネ部材と、電圧信号を機械的な変位に変換する圧電素子と、この圧電素子に接続され、かつ該圧電素子の制御によって前記プランジャに係脱する作動片とをそれぞれ組み込んだ圧電アクチュエーターであって、前記作動片は前記圧電素子の自由端部に係合し、通電時、前記箱体の底壁の内面を水平方向にスライドして前記プランジャを係止することを特徴とする。
【発明の効果】
【００１１】
（ａ）請求項１又は請求項５に記載の発明は、作動片は圧電素子の自由端部に係合し、通電時、箱体の底壁の内面を水平方向にスライドしてプランジャを係止するので、本願発明の所期の目的を達成することができる。
（ｂ）また、圧電素子をプランジャの外部に位置付けたので、箱体内の内部空間を有効的に活用することができる、各部材を容易に組み合わせることができる、箱体の内部空間に変位量の大きい長尺状圧電素子を実装させることによって作動片をプランジャに確実に係脱させることができる等がある。
【発明を実施するための最良の形態】
【００１２】
以下、図１乃至図１１に示す本発明を実施するための最良の形態（第１実施例）により説明する。
（１）発明の実施の環境
図１は圧電アクチュエーターＸを示す概略説明図である。この圧電アクチュエーターＸは、例えば機械駆動機構における電気的制御可能なクラッチ装置に使用される。したがって、用途の一例は特許文献１と同じである。図１は箱体１の内部構造を示している。なお、符号Ｙは、例えば戸枠である。
（２）箱体１
図１は縦長状の箱体１内に組み込まれた主たる部材の斜視図で、ケース蓋、右側壁、基板等は省略している。図２はケース蓋１ｂの一部を切欠した正面面視からの説明図、図３はケース身１ａの構成を示す概略説明図、図４は図２の４−４線に基づく一部概略断面説明図である。
【００１３】
箱体１は、ケース身１ａと、このケース身に合体するケース蓋１ｂとから成る。したがって、錠箱と同様の構成である。例えば図３を参照にすると、２、３は上下の壁で、上壁２の一端部（左端部）には、プランジャ４１用の開口４が形成されている。また、５、６は左右の側壁である。
【００１４】
しかして、箱体１内部には、プランジャ４１用の複数の案内手段が設けられている。すなわち、７は底壁３と所定空間を有して対向する第１案内壁、８は前壁２の開口４並びに前記第１案内壁７と対向するように箱体１の中央部に設けられた第２水平案内壁で、これらの水平案内壁７、８の中央部にはプランジャ４１の摺動軸４２を案内することができるように不番の貫通孔（案内孔）がそれぞれ形成されている。
【００１５】
一方、９、１０は前壁２と直交するように該前壁２の内壁面から底壁３に向かって所要量延在し、前記プランジャ４１のラッチ部分４３を案内する第１・第２垂直案内壁である。
【００１６】
また、箱体１内部には、長尺状の圧電素子２１の基端部２１ａを支持する支持部材１１が設けられている。本実施例では、前記圧電素子２１が右側壁６の内壁面に沿って垂直状態に配設されるので、図２で示すように、右側壁６の下部或は底壁３の右側内壁面に固定されている。支持部材１１は、例えば上向きコ字形状に形成され、該支持部材１１の垂直溝１１ａに圧電素子２１の基端部２１ａが差込み係合する。
（３）箱体１内に組み込まれる部材
図２で示すように、箱体１内には、昇圧回路を有する基板１５、該基板１５とリード線１６を介して電気的に接続する長尺状の圧電素子２１、ロック機能を有する作動片３１、複数の案内手段に案内されて上下方向に進退動するプランジャ４１、該プランジャ４１の先端部（ラッチ部分）４３が箱体１の開口４から突出するように該プランジャを常時付勢するバネ部材４７がそれぞれ組み込まれている。
【００１７】
なお、本実施例では、前記基板１５は、右側壁６の内壁面に適宜に固定され、図７で示すように箱体１外に配設された制御部１４によって制御される。
（４）圧電素子２１
図１及び図２で示すように、長尺状の圧電素子２１は、箱体１の一側壁６の内面に沿って配設された一枚タイプ又は二枚タイプ（本実施例）の長板体で、その基端部２１ａは底壁３側に設けられた支持部材１１に支持され、一方、前記基端部２１ａと重なるように対向する自由端部２１ｂは底壁３の内壁面を水平方向にスライドする作動片３１の係合部３２に差込み係合する（図２、図５参照）。
【００１８】
さて、本実施例の長尺状の圧電素子２１は、図６で示すように二重構造体２１Ａ、２１Ｂである。すなわち、この圧電素子２１は、基端部２１ａを有する第１圧電素子２１Ａと、該第１圧電素子の一端部にその一端部が結合すると共に、自由端部２１ｂ側から反るように外拡変位可能な第２圧電素子２１Ｂとを有し、前記第１圧電素子の基端部２１ａは、前記自由端部２１ｂよりも若干長い（図５参照）。
【００１９】
このような二重構造体２１Ａ、２１Ｂの長尺状圧電素子２１は、その第１圧電素子２１Ａの基端部２１ａが支持部材１１の垂直溝１１ａに固定的に支持されているものの、通電時には、中央部に相当する結合端部２１ｃ側がプランジャ４１の摺動軸４２の上端部側方向に反るように変位すると同時に、第２圧電素子２１Ｂの自由端部２１ｂも前記摺動軸４２の下端部側方向に反るように変位するので、作動片３１の左右動する幅（変位量）が大きくなる（図１０と図２を参照）。したがって、箱体１の内部空間に変位量の大きい長尺状圧電素子２１を実装させ、該長尺状圧電素子と共働する作動片３１をプランジャ４１に確実に係脱させることができるという利点がある。
【００２０】
また、長尺状圧電素子２１の基端部を簡単に箱体１内に固定することができる。
【００２１】
ところで、圧電素子２１は、外観上二枚の長板の一端部を結合したように見えるが、図７で示すような多層の構造体であり、昇圧回路を有する基板１５から印加された電圧信号を機械的な変位に変換する。ここで、図７を参照にして、圧電素子２１の基本的構成及び機能を説明する。圧電素子２１は、圧電体を含む多層構造の長方状の板状体であり、例えば中央板２２と、この中央板２２の両面に導電性接着層２３を介して積層される一対の圧電板２４とを備えている。
【００２２】
しかして、前記中央板２２は、表面部に導電性を有する補強材であり、その材料としては、ＳＫ鋼を焼入れ処理したものが用いられている。また、前記圧電板２４は、不番の圧電体と、この圧電体の両面に積層される一対の電極２５とを備えている。圧電板２４の圧電体は、電圧の印加により歪みが生じるピエゾ効果を有する材料であれば特に限定されるものではないが、例えば圧電セラミックス、高分子圧電体、単結晶圧電体等を使用する。中でも、大きな圧電効果を有し、耐久性も良好なチタン酸・ジルコン酸鉛系圧電セラミックス（ＰＺＴ）が使用されている。
【００２３】
また、電極２５は圧電体の外縁部を除いたほぼ全面に積層され、例えば銀ペーストの印刷及び焼付けにより形成される。
【００２４】
上記の圧電素子２１には、外面側に配設される一対の電極２５と中央板２２に、例えば外部に配設した制御部１４を介して錠箱内の基板１５の駆動部（ドライブ）から駆動（電圧）信号が印加される。本実施例では、図２で示すようにリード線１６が基板１５に電気的に接続しており、プランジャ４１が動いても、リード線１６自体は全く動かない。基板１５は、このリード線１６を介して外側の両電極２５に正電圧及び負電圧を交互に印加する。
【００２５】
このように正電圧を印加した場合、一方の圧電体は伸び、これに対して、他方の圧電体は縮む結果、圧電素子２１は一方側に湾曲する。このような圧電素子２１の機能を、ここでは「電圧信号を機械的な変位に変換する」と表現する。なお、電圧効果に関しては、前記したように、電圧板２４を両面に備えたバイモルフ構造の他に、片面のみに電圧板２４を備えたユニモルフ構造が公知事項として知られている。
（５）作動片３１
図８はロック機能を有する作動片３１の斜視図である。本実施例の作動片３１は、長方形の底面３１ａ・上面３１ｂを有するブッロック形状（例えば直方体）に形成されている。ブッロック状の作動片３１は、底壁３と第１案内壁７との間の所定空間に組み込まれ、圧電素子２１に制御されながら前記底壁３の内壁面を左右方向へとスライドする。付言すると、本実施例の作動片３１は、圧電素子２１の自由端部２１ｂに接続し、かつ圧電素子２１と共働しながらプランジャ４１の摺動軸４２の下端面に入り込む。
【００２６】
しかして、作動片３１は、圧電素子２１の自由端部２１ｂを接続するために支持部材側の一端部に凹所状の係合部３２を有する。また、作動片３１の滑動を良好にするために底面３１ａ・上面３１ｂに球状の摺動小突起３３を有する。
（６）プランジャ４１と付勢バネ４７、
図９はラッチ機能を有するプランジャ４１の斜視図である。本実施例のプランジャ４１は、第１・第２の水平案内壁７，８に案内される摺動軸４２と、この摺動軸４２の上端部に連設されたラッチ部分４３とから成り、前記摺動軸４２の中央部には第２水平案内壁８に受け止められるフランジ部４４が設けられている。
【００２７】
そして、付勢バネ４７は、ラッチ部分４３の後端面（下端面）と第２水平案内壁８にそれぞれ圧接するように摺動軸４２に巻装され、かつプランジャの三角形状のラッチ部分４３が箱体１の開口４から突出するように該プランジャを常時付勢する。なお、プランジャ４１の先端部４３は、本実施例では三角形に形成されているが、これは任意事項であり、係止機能を有する係止面と、摺接機能を有する傾斜面を直角三角形にすることもできる。
【００２８】
（７）作用
図２では、圧電アクチュエーターＸの箱体１の上壁（前壁）２と対向する固定体（例えば戸枠）Ｙが存在していることを前提としている。もちろん、Ｙが可動側であって、圧電アクチュエーターＸの箱体１が固定側であっても良い。プランジャ４１は、その先端部４３が開口４から突出するようにバネ部材４７によって常時付勢されている。そこで、非通電時と通電時の場合を説明する。図１１は非通電時の場合である。圧電素子２１に電圧を印加していない場合（非通電時）には、圧電素子２１は、箱体１の右側壁６の内壁面に対して平行状態（略垂直状態）である。付言すると、作動片３１は圧電素子２１の自由端部２１ｂで底壁３の内壁面をスライドしながら支持部材１１側に引き戻され、プランジャ４１の被係合部（本実施例では摺動軸の下端面）から離れる（アンロック状態）。したがって、プランジャ４１は矢印で示すようにバネ部材４７のバネ力に抗して箱体１内に後退することが可能となる。
【００２９】
これに対して、図１及び図２は通電時の場合である。圧電素子２１に電圧を印加した場合には、該圧電素子２１は、電圧信号を機械的な変位に変換するので、前述したように結合端部２１ｃ側及び自由端部２１ｂ側がプランジャ４１の摺動軸４２側に反るように位置変位する。
【００３０】
したがって、作動片３１は底壁３の内壁面をスライドしながら支持部材１１側から離れ、前記摺動軸４２の下端面に入り込む（ロック状態）。それ故に、プランジャ４１は後退することができない。このように圧電素子２１は、その自由端部２１ｂで作動片３１を底壁３の内壁面に沿って左右にスライドさせて、プランジャ４１をアンロック状態又はロック状態に制御する（図１０参照）。
【実施例】
【００３１】
次に、本発明の第２実施例を説明する。なお、この第２実施例の説明に当たって、第１実施例と同一の部分には、同一又は同様の符号を付して重複する説明を省略する。
【００３２】
図１２乃至図１６は第２実施例の各説明図である。この第２実施例の圧電アクチュエーターＸ１に於いて、長尺状圧電素子２１、作動片３１Ａ、支持部材１１、基板１５等の配設箇所がそれぞれ異なるものの、第１実施例と主に異なる点は、次の通りである。
（イ）第１実施例のプランジャ４１は、錠箱１の上壁２の開口４から突出しているのに対して、第１実施例のプランジャ４１Ａは、箱体１Ａの右側壁６の下端部に形成された開口４Ａから突出している。そして、プランジャ４１、４１Ａ同士の構成を比較すると、前者４１は摺動軸４２を有するのに対し、後者は摺動軸４２を有さない。しかして、図１３で示すようにプランジャ４１Ａの手前側の正面壁４１ａは矢印の標識板形状に形成され、向こう側の背面壁４１ｂまで横断面矩形状に形成されている（図１４参照）。また、プランジャ４１Ａの前記背面壁４１ｂの適宜箇所には、突起状のラッチ被係合部４５が形成されている。
（ロ）したがって、第２実施例のプランジャ４１Ａは、その後端部と錠箱１Ａの左側壁５との間に介在するバネ部材４７のバネ力に抗して、かつ、底壁３の内壁面と第１水平案内板７Ａに規制されながら水平方向に後退動可能である。
（ハ）また、通電時、第１実施例の作動片３１はプランジャ４１の下方に入り込み、該プランジャ４１の後退を阻止するのに対して、第２実施例の作動片３１Ａは、ケース身１ａの一つの幅広側壁からケース蓋１ｂ側へ底壁３の内壁面をスライドしながらプランジャ４１Ａのラッチ被係合部４５に係合して、該プランジャ４１Ａの後退を阻止する。
（ニ）さらに、錠箱１Ａ内の案内手段は、底壁３と対向する第１水平案内板７Ａのみである。また、基板１５は錠箱１Ａ内の設けられた隔壁状の支持板４８を介して垂直状態に取付けられている。その他の細部的な相違の説明は割愛する。
【００３３】
ところで、第１及び第２実施例の圧電素子２１は、二重構造体２１Ａ、２１Ｂ（一端部が連結したニ枚タイプ）のもので、公衆が電気通信回線を介してアクセス可能な一般の公開情報によると、「バイモルフ」と称されている。
【００３４】
そして、一般の公開情報によると、該バイモルフは、中央ベース板の表面と裏側の両面に電圧セラミックスをそれぞれ張り付けたもの、つまり、二枚の電圧セラミックスを用いて構成される圧電アクチュエーターの総称である。したがって、第１及び第２実施例の圧電素子２１は、二枚の電圧セラミックスを用いる構成であるならば、当然、一枚タイプの構造体であっても良い。
【００３５】
また、前記一般の公開情報によると、圧電素子は、「ユニモルフ」と称されているものも存在する。図１７はユニモルフの具体的構成を示す概略説明図である。この図１７から明らかなように、ユニモルフ構造の圧電素子２１は、基本的には一枚の金属板の一側面に一枚の電圧セラミックスを張り付けた構造で、例えば一枚のユニモルフ、二枚のユニモルフ等が存在する。
【００３６】
しだかって、第１及び第２実施例の圧電素子２１は、一枚のユニモルフを採用したものであっても良い。ここで、念のために、ユニモルフを採用した他の実施例も本発明の射程距離の範囲内であることを確認するために、図１８にその一例を示す。
【００３７】
この図１８は、圧電素子２１が「一枚タイプの構造体」であって、かつ「一枚のユニモルフ」のものである。圧電素子２１を一枚タイプの構造体にした場合には、その自由端部２１ａを支持する支持部材１１は、上壁２の内壁面側に固定される。このように、本発明の圧電素子２１は、発明の目的を逸脱しない範囲内に於いて、「バイモルフ」及び「ユニモルフ」のいずれでも用いることができる。
【００３８】
さらに、本発明の圧電アクチュエーターＸの用途は、電気的制御用のクラッチ機構に限定されるものではなく、建具用のラッチ機構やロック機構に用いることができる。圧電アクチュエーターＸを建具に用いる場合には、上下方向に移動するシャッターや可動障子、水平方向に回転する扉に装着することができる。
【００３９】
また、本実施例では、基板１５に少なくとも駆動部を設けたが、駆動部と共に制御部１４を設けても良いことはもちろんである。
【産業上の利用可能性】
【００４０】
本発明は、主に建具や錠前の業界で利用される。
【図面の簡単な説明】
【００４１】
図１乃至図１１は本発明の最良の実施例（第１実施例）を示す各説明図。図１２乃至図１６は本発明の最良の実施例（第２実施例）を示す各説明図。
【図１】第１実施例の圧電アクチュエーターの内部構造の斜視図（通電時、ロック状態）。
【図２】圧電アクチュエーターの内部構造を示す概略説明図（基準図、ロック状態）。
【図３】ケース身の構成を示す概略説明図。
【図４】図２の４−４線に基づく概略断面説明図。
【図５】主要部の概略説明図。
【図６】圧電素子の一例を示す斜視図。
【図７】圧電素子の具体的構成を示す概略説明図。
【図８】作動片の構成を示す斜視図。
【図９】プランジャの構成を示す斜視図。
【図１０】非通電時（アンロック状態）から通電時（ロック状態）への概略説明図。
【図１１】非通電時（アンロック状態）の説明図。
【図１２】第２実施例の圧電アクチュエーターの内部構造の斜視図（通電時、ロック状態）。
【図１３】圧電アクチュエーターの内部構造を示す概略説明図（図２と同様の図）。
【図１４】図１３の１４−１４線に基づく概略断面説明図。
【図１５】主要部の概略説明図（図１０と同様の図）。
【図１６】圧電アクチュエーターの内部構造の斜視図（図１１と同様の図）。
【図１７】圧電素子の他例（ユニモルフ構造）を示す概略説明図。
【図１８】ユニモルフを用いた場合における図２と同様の概略説明図。
【符号の説明】
【００４２】
Ｘ、Ｘ１…圧電アクチュエーター、Ｙ…固定側（又は可動側）、１、１Ａ…箱体、１ａ…ケース身、１ｂ…ケース蓋、２…上壁、３…底壁、４、４Ａ…開口、５、６…左右の側壁、７、７Ａ…第１水平案内壁、１１…支持部材、１４…制御部、１５…基板、１６…リード線、２１…圧電素子、２１Ａ…第１圧電素子、２１Ｂ…第２圧電素子、２１ａ…基端部、２１ｂ…自由端部、２１ｃ…結合端部、３１、３１Ａ…作動片、３２…係合部、３３…摺動小突起、４１、４１Ａ…プランジャ、４１ａ…正面壁、４１ｂ…背面壁、４２…摺動軸、４３…ラッチ部分（先端部）、４４…フランジ部、４５…ラッチ被係合部、４７…バネ部材、４８…隔壁状の支持板。
【図１】
2009296862.tif 000003
【図２】
2009296862.tif 000004
【図３】
2009296862.tif 000005
【図４】
2009296862.tif 000006
【図５】
2009296862.tif 000007
【図６】
2009296862.tif 000008
【図７】
2009296862.tif 000009
【図８】
2009296862.tif 000010
【図９】
2009296862.tif 000011
【図１０】
2009296862.tif 000012
【図１１】
2009296862.tif 000013
【図１２】
2009296862.tif 000014
【図１３】
2009296862.tif 000015
【図１４】
2009296862.tif 000016
【図１５】
2009296862.tif 000017
【図１６】
2009296862.tif 000018
【図１７】
2009296862.tif 000019
【図１８】
2009296862.tif 000020